(57)【要約】      （修正有）【課題】被支持物品支持することができ、該物品を移動させるキャスタも備えているキャスタ付き物品支持脚であって、台座が物品支持基体上に配置される状態とキャスタ車輪が物品支持基体上に配置される状態を簡易に切り換えることができるものを提供する。【解決手段】台座２は開口部２２を有する内部空間を有しており、キャスタ３は開口部２２を通して視認可能に台座２内に配置された車輪３１と、車輪軸を含んでいる。車輪軸は車輪３１が台座内退避位置と台座下方へ突出した動作位置の間を往復揺動できるように台座２に支持されており、偏心軸部の軸回し操作部４の回し操作により、車輪３１を退避位置又は動作位置に配置できるキャスタ付き物品支持脚１００。【選択図】図１
2014148246.tif 000002
【特許請求の範囲】
【請求項１】
雄ねじを形成したボルトがボルト台座に回転自在に立設されており、該ボルトの雄ねじ部分を被支持物品のボルト螺合部に螺合させ、該ボルト螺合部から下方へのボルト突出量を調整するとともに該ボルト台座を物品支持基体上に配置することで該物品を該物品支持基体上に支持することができ、前記被支持物品を移動させるためのキャスタを備えているキャスタ付き物品支持脚であり
前記台座は側面側から下面側へ連続する開口部を有する内部空間を有しており、
前記キャスタは、前記台座内に前記開口部を通して前記台座の外部から視認可能に配置された車輪と、該車輪を支持する車輪軸を含んでおり、
前記車輪軸は、前記車輪を車輪中心まわりに回転自在に支持する中心軸部と、前記中心軸部からその両側に延在し、前記車輪中心に対し偏心している一対の偏心軸部を含んでいて、該一対の偏心軸部で前記台座に回動可能に支持されているとともに、前記車輪が前記台座内に退避する退避位置と前記開口部から該台座下方へ、前記被支持物品の移動を可能ならしめるように突出する動作位置の間を往復揺動できるように支持されており、
該一対の偏心軸部のうち少なくとも一方に前記台座外側から回し操作可能に軸回し操作部が連設されており、前記軸回し操作部の回し操作により、前記車輪を前記退避位置又は前記動作位置に配置することができることを特徴とするキャスタ付き物品支持脚。
【請求項２】
前記動作位置は、前記車輪が前記偏心軸部を中心とする前記退避位置からの揺動により最も前記台座から突出する最突出位置を超えてさらに揺動して到達する位置である請求項１記載のキャスタ付き物品支持脚。
【請求項３】
前記車輪が前記退避位置から前記動作位置へ揺動するとき、該車輪の揺動を該動作位置で停止させるためのストッパが設けられている請求項２記載のキャスタ付き物品支持脚。
【請求項４】
前記車輪を落下させることなく前記退避位置に保持するための車輪ホルダーを備えている請求項１、２又は３記載のキャスタ付き物品支持脚。
【請求項５】
前記軸回し操作部は、前記偏心軸部に外嵌された筒状部と、軸回し具を係合させる軸回し具係合部であって前記筒状部に設けられた軸回し具係合部を含んでおり、該軸回し操作部が設けられた偏心軸部は該筒状部ごと前記台座に回動可能に支持されている請求項１から４のいずれか１項に記載のキャスタ付き物品支持脚。
【請求項６】
前記車輪を落下させることなく前記退避位置に保持するための車輪ホルダーを備えており、該車輪ホルダーは前記筒状部と前記台座の間に嵌挿された弾性を有する摩擦リングである請求項５記載のキャスタ付き物品支持脚。
【発明の詳細な説明】
【技術分野】
【０００１】
本発明は各種物品、例えば、工作機械、コンベア等の各種機械、書籍、書類等を収納するロッカー等の各種収納具、テレビ等の各種ＡＶ機器、各種ディスプレイ装置等を支持できる物品支持脚であって、キャスタを有するキャスタ付き物品支持脚に関する。
【背景技術】
【０００２】
従来、工作機械、コンベア等の各種機械、書籍、書類等を収納するロッカー等の各種収納具、テレビ等の各種ＡＶ機器、各種ディスプレイ装置等を支持できる物品支持脚には各種タイプのものが知られている。
【０００３】
代表的なものとして、例えば、特許第３１２９９０５号公報に記載されているように、雄ねじを形成したボルトがボルト台座に回転自在に立設されており、該ボルトの雄ねじ部分を被支持物品のボルト螺合部に螺合させ、該ボルト螺合部からのボルト突出量を調整するとともに該ボルト台座を物品支持基体（物品を配置する建物の床、工場等の床など）上に配置することで該物品を該物品支持基体上に支持することができる物品支持脚を挙げることができる。
【０００４】
このタイプの物品支持脚は、物品を物品支持基体の定位置に設置しておくことはできるが、物品の配置換え等にあたって、その物品支持脚を使って物品を移動させることはできない。
【０００５】
そこで、例えば特開２００５−３５００３８号公報（特許文献１）や特開２００４−２４４０１０号公報（特許文献２）に記載されている物品支持脚も提案されている。
【０００６】
特許文献１に記載されている物品支持脚は、被支持物品のボルト螺合部にキャスタを設けておき、雄ねじを形成したボルトを該ボルト螺合部内へ螺合収納することで相対的にキャスタを下方へ突出させて物品支持基体（物品を配置する建物の床、工場等の床など）に配置することで、該キャスタで被支持物品を移動可能とするものである。
【０００７】
特許文献２に記載されているキャスタ付き物品支持脚は、雄ねじを形成したボルトの台座への立設を台座頂部に設けた雌ねじ部分に該ボルトを螺合させることで行ない、且つ、台座の内側空間へ突出させたボルト下端部にキャスタを設けておき、該台座を回転させて該ボルトに沿って上昇させることで相対的にキャスタを台座下方へ突出させて物品支持基体に配置し、それにより該キャスタで被支持物品を移動可能とするものである。
【先行技術文献】
【特許文献】
【０００８】
【特許文献１】特許第３１２９９０５号公報
【特許文献２】特開２００５−３５００３８号公報
【特許文献３】特開２００４−２４４０１０号公報
【発明の概要】
【発明が解決しようとする課題】
【０００９】
しかしながら、前記従来の物品支持脚は、ボルトをボルト螺合部内へ螺合収納することで相対的にキャスタを下方へ突出させたり（特許文献１記載のもの）、台座を回転させてボルトに沿って上昇させることで相対的にキャスタを台座下方へ突出させたり（特許文献２記載のもの）しなければならず、そのようなボルトの回し操作や台座の回し操作は実際には簡単には行なえない煩わしい、手間のかかる操作である。
【００１０】
また、特許文献１記載の物品支持脚の場合、被支持物品に設けられるボルト螺合部にそれから張りだすようにキャスタが設けられるため、ボルト螺合部の部分が大掛かりとなる。
特許文献２記載の物品支持脚は、キャスタが台座内空間に対し入ったり出たりする構造であるから、人の目より下方に位置することが多い台座の上方域からキャスタが見え難く、物品支持基体に台座が接触しているのか、キャスタが接触しているのか、一見して分かり難い。
【００１１】
本発明は、雄ねじを形成したボルトがボルト台座に回転自在に立設されており、該ボルトの雄ねじ部分を被支持物品のボルト螺合部に螺合させ、該ボルト螺合部から下方へのボルト突出量を調整するとともに該ボルト台座を物品支持基体（物品を配置する建物の床、工場等の床など）上に配置することで該物品を該物品支持基体上に支持することができ、前記被支持物品を移動させるためのキャスタを備えているキャスタ付き物品支持脚であって次の利点を有するキャスタ付き物品支持脚を提供することを課題とする。
（１）前記ボルトが被支持物品のボルト螺合部に螺合され、前記台座が物品支持基体上に配置されて該被支持物品を支持する状態と前記キャスタの車輪が前記台座に代わって前記物品支持基体上に走行可能に配置される状態を簡易に切り換えることができる。
（２）物品支持基体に台座が接触しているのか、キャスタが接触しているのかを台座外部から容易に視認でき、扱い易い。
（３）キャスタを備えている割には全体をコンパクトに形成できる。
【課題を解決するための手段】
【００１２】
本発明は前記課題を解決するため、
雄ねじを形成したボルトがボルト台座に回転自在に立設されており、該ボルトの雄ねじ部分を被支持物品のボルト螺合部に螺合させ、該ボルト螺合部から下方へのボルト突出量を調整するとともに該ボルト台座を物品支持基体上に配置することで該物品を該物品支持基体上に支持することができ、前記被支持物品を移動させるためのキャスタを備えているキャスタ付き物品支持脚であり
前記台座は側面側から下面側へ連続する開口部を有する内部空間を有しており、
前記キャスタは、前記台座内に前記開口部を通して前記台座の外部から視認可能に配置された車輪と、該車輪を支持する車輪軸を含んでおり、
前記車輪軸は、前記車輪を車輪中心まわりに回転自在に支持する中心軸部と、前記中心軸部からその両側に延在し、前記車輪中心に対し偏心している一対の偏心軸部を含んでいて、該一対の偏心軸部で前記台座に回動可能に支持されているとともに、前記車輪が前記台座内に退避する退避位置と前記開口部から該台座下方へ、前記被支持物品の移動を可能ならしめるように突出する動作位置の間を往復揺動できるように支持されており、
該一対の偏心軸部のうち少なくとも一方に前記台座外側から回し操作可能に軸回し操作部が連設されており、前記軸回し操作部の回し操作により、前記車輪を前記退避位置又は前記動作位置に配置することができるキャスタ付き物品支持脚を提供する。
【００１３】
本発明に係るキャスタ付き物品支持脚によると、前記ボルトの雄ねじ部分を被支持物品のボルト螺合部に螺合させ、該ボルト螺合部からのボルト突出量を調整するとともに、前記キャスタの車輪を前記台座内に退避させた状態で該台座を物品支持基体上に配置することで該物品を該物品支持基体上に支持することができる。
【００１４】
また、このようにボルト台座を物品支持基体上に配置した状態で、前記台座外側から前記キャスタの軸回し操作部を回し操作することで前記偏心軸部を回して該偏心軸部を中心に前記車輪を前記動作位置へ揺動突出させることができる。かくして、前記台座を該車輪に対して相対的に上昇させる一方、該車輪を該台座に対して相対的に下降させ、それにより、該台座に代えて該車輪を物品支持基体に配置し、被支持物品を該車輪で移動させ得る状態を簡単に得ることができる。
【００１５】
また、このように車輪で被支持物品を移動させ得る状態から、前記軸回し操作部を前記とは逆方向に回し操作することで前記偏心軸部を中心に前記車輪を前記台座内空間部の退避位置へ揺動退避させることができる。かくして、該車輪を前記台座に対して相対的に上昇させる一方、該台座を該車輪に対して相対的に下降させ、それにより、該車輪に代えて該台座を物品支持基体に配置し、被支持物品を該台座で支持する状態を簡単に得ることができる。
【００１６】
このように、前記ボルトが被支持物品のボルト螺合部に螺合され、前記台座が物品支持基体上に配置されて該被支持物品を支持する状態と前記キャスタの車輪が前記台座に代わって前記物品支持基体上に走行可能に配置される状態を簡易に切り換えることができる。
【００１７】
前記車輪は前記台座内に前記開口部を通して台座外部から視認可能に配置されているから、前記物品支持基体に台座が接触しているのか、キャスタが接触しているのかを台座外部から容易に視認でき、それだけ扱い易い。
【００１８】
前記車輪を使用しないときには前記台座内空間部に退避させておくことができる構造を採用しているのでので、キャスタを備えている割には全体をコンパクトに形成できる。
【００１９】
前記車輪の動作位置に関して言えば、その位置におかれた車輪が該車輪による物品移動中に振動等により前記退避位置の方へ簡単に揺動してしまうようなことを防止して、その位置に安定させる手段を設けておくことが望ましい。
【００２０】
そのような手段として、例えば次のものを挙げることができる。
すなわち、前記車輪の動作位置を前記車輪が前記偏心軸部を中心とする前記退避位置からの揺動により最も前記台座から突出する最突出位置を超えてさらに揺動して到達する位置とするのである。動作位置をこのように定めておくことで、該動作位置に配置された車輪には、物品重力等と前記偏心軸部の偏心量に応じたモーメントが作用するので、その位置に安定する。
【００２１】
前記車輪が前記退避位置から前記動作位置へ揺動するとき、該車輪の揺動を該動作位置で停止させるためのストッパを設けておくことができる。
【００２２】
前記台座が前記物品支持基体（物品を配置する建物の床、工場等の床など）上に配置されて該台座により被支持物品が定位置に支持されている状態では、例えば、前記車輪が前記物品支持基体まで自重等により下降して該物品支持基体に触れていても、物品支持に差し支えなければよい。
【００２３】
しかし、前記車輪を落下させることなく前記退避位置に保持するための車輪ホルダーを備えていてもよい。
【００２４】
前記キャスタの軸回し操作部としては、例えば、前記偏心軸部に外嵌された筒状部と、軸回し具を係合させる軸回し具係合部であって前記筒状部に設けられた軸回し具係合部を含んでいるものを挙げることができる。
【００２５】
この軸回し操作部を採用する場合、該軸回し操作部が設けられた偏心軸部は該筒状部ごと前記台座に回動可能に支持されていてもよい。
【００２６】
また、前記車輪を落下させることなく前記退避位置に保持するための車輪ホルダーは、前記筒状部と前記台座の間に嵌挿された弾性を有する摩擦リングであってもよい。
【発明の効果】
【００２７】
以上説明したように本発明によると、
雄ねじを形成したボルトがボルト台座に回転自在に立設されており、該ボルトの雄ねじ部分を被支持物品のボルト螺合部に螺合させ、該ボルト螺合部から下方へのボルト突出量を調整するとともに該ボルト台座を物品支持基体（物品を配置する建物の床、工場等の床など）上に配置することで該物品を該物品支持基体上に支持することができ、前記被支持物品を移動させるためのキャスタを備えているキャスタ付き物品支持脚であって次の利点を有するキャスタ付き物品支持脚を提供することができる。
（１）前記ボルトが被支持物品のボルト螺合部に螺合され、前記台座が物品支持基体上に配置されて該被支持物品を支持する状態と前記キャスタの車輪が前記台座に代わって前記物品支持基体上に走行可能に配置される状態を簡易に切り換えることができる。
（２）物品支持基体に台座が接触しているのか、キャスタが接触しているのかを台座外部から容易に視認でき、扱い易い。
（３）キャスタを備えている割には全体をコンパクトに形成できる。
【図面の簡単な説明】
【００２８】
【図１】本発明に係るキャスタ付き物品支持脚の１例の、キャスタ車輪を台座内の退避位置に配置した状態の正面図である。
【図２】図１に示すキャスタ付き物品支持脚の右側面図である。
【図３】図１に示すキャスタ付き物品支持脚の左側面図である。
【図４】図１に示すキャスタ付き物品支持脚の背面図である。
【図５】図１に示すキャスタ付き物品支持脚の平面図である。
【図６】図１に示すキャスタ付き物品支持脚の底面図である。
【図７】図１に示すキャスタ付き物品支持脚の図１のＡ−Ａ線に沿う断面図である。
【図８】図１に示すキャスタ付き物品支持脚の図１のＢ−Ｂ線に沿う断面図である。
【図９】図１に示すキャスタ付き物品支持脚の車輪軸を示すもので、図（Ａ）は車輪軸長手方向に垂直な一方向から見て示す図であり、図（Ｂ）は該車輪軸の右側面図である。
【図１０】図９に車輪軸を回し操作する軸回し操作部を示すもので、図（Ａ）は断面図であり、図（Ｂ）は図（Ａ）において右側から見た側面図である。
【図１１】図１に示すキャスタ付き物品支持脚の車輪軸の偏心軸部の端部に嵌めつける部材を示す図である。
【図１２】図１のキャスタ付き物品支持脚の、キャスタ車輪を動作位置に配置した状態の正面図である。
【図１３】図１２に示すキャスタ付き物品支持脚の右側面図である。
【図１４】図１２に示すキャスタ付き物品支持脚の左側面図である。
【図１５】図１２に示すキャスタ付き物品支持脚の背面図である。
【図１６】図１２に示すキャスタ付き物品支持脚の平面図である。
【図１７】図１２に示すキャスタ付き物品支持脚の底面図である。
【図１８】図１に示すキャスタ付き物品支持脚の図１２のＡ’−Ａ’線に沿う断面図である。
【図１９】図１に示すキャスタ付き物品支持脚の図１２のＢ’−Ｂ’線に沿う断面図である。
【図２０】キャスタ付き物品支持脚が台座で被支持物品を定位置に支持している状態を示す図である。
【図２１】キャスタ付き物品支持脚が車輪で被支持物品を移動可能に支持している状態を示す図である。
【発明を実施するための形態】
【００２９】
以下本発明に係るキャスタ付き物品支持脚の例１００について図面を参照して説明する。
図１から図８は、図２０に示すように、台座２で被支持物品Ｗを定位置に支持できる状態を示す図である。
図１２から図１９は、図２１に示すように、車輪３１で被支持物品Ｗを移動可能に支持できる状態を示す図である。
【００３０】
キャスタ付き物品支持脚１００は、雄ねじ１１を形成したボルト１と、ボルト１を回転自在に立設支持するボルト台座２と、キャスタ３を含んでいる。
ボルト１は、台座２に隣り合う部位（図示例ではボルト台座２の直上部位）にボルト回し具係合部１２を有している。
【００３１】
ボルト回し具係合部１２は、ボルト１に後付けされたものでもよいが、図示例ではボルト１と一体的に形成されており、平面形状が６角形のものである。側周面に互いに平行な面部分を有する６角形ボルト頭や６角形ナットなどに係合して回し操作できるスパナ型レンチ、回し対象物を掴む顎の間隔を調節できる所謂モンキーレンチ等のボルト回し具（図示省略）をボルト回し具係合部１２に係合させてボルト１を回し操作できる。
【００３２】
図７及び図１８に示すようにボルト回し具係合部１２は下面凹所１２１を有しており、凹所１２１にベアリング押さえ部材１２２が下方から嵌め付けられている。部材１２２の下側にベアリング保持部材１２３があてがわれており、この部材１２３にスラストベアリング１２４が外嵌されている。
【００３３】
ベアリング保持部材１２３及びベアリング押さえ部材１２２はボルト１２５でボルト１に固定されており、ベアリング１２４はベアリング押さえ部材１２２とベアリング保持部材１２３の下端フランジ部１２３１の間に挟持されている。
【００３４】
台座２は平面から見た形状が概ね円形であり、碗を伏せた如き形状、構造のものであり、頂部にベアリング収納室２１が形成されている（図５、図７及び図１６、図１８参照）。
【００３５】
ベアリング収納室２１は上方へ向け開口しており、底部にリング形状段部のベアリング受け座２１１を有している。前記ボルト１に連設されたベアリング１２４はベアリング押さえ部材１２２及びベアリング保持部材１２３とともに上方からベアリング収納室２１に納められ、ベアリング１２４が受け座２１１で支えられている。
【００３６】
ベアリング収納室２１の上端部内周にＣ型スプリング部材１２６が嵌め付けられており、ベアリング１２４はこの部材１２６で抜け止めされている。
【００３７】
台座２には一側面側（本例では正面側）から下面側へ連続する開口部２２を有する内部空間２０を有している（図１、図６〜図８、図１２、図１７〜図１９参照）。
【００３８】
キャスタ３は車輪３１と、車輪３１を支持する車輪軸３２を含んでいる。車輪３１は前記の開口部２２を通して台座２の外部から視認可能に台座２内に配置されている。車輪３１はベアリング部３１１とその外リングに周設された合成樹脂製の外輪部３１２を含むものである。ベアリング部３１１の内リングが次に説明する中心軸部３２１に嵌められている。
【００３９】
車輪軸３２は、図８、図９、図１９に示すように、車輪３１を車輪中心Ｃ１まわりに回転自在に支持する中心軸部３２１と、中心軸部３２１からその両側に延在し、車輪中心Ｃ１に対し中心Ｃ２が距離α偏心している一対の偏心軸部３２２を含んでいる。中心軸部３２１には車輪３１の両外側に後述するストップリングＳ（図１８、図１９）が嵌められている。
【００４０】
各偏心軸部３２２の先端部Ｅは図９（Ｂ）に示すように断面形状が四角形状であり、その端面から中心線方向にねじ穴ｈが形成されている。
【００４１】
偏心軸部３２２には台座２の外側から回し操作可能に軸回し操作部４が設けられている。
軸回し操作部４は図１０等に示す筒状部４１と、筒状部４１に一体的に連設された軸回し具係合部４２を含んでいる。筒状部４１には後述する摩擦リングＲ（図８，図１９参照）を嵌める溝４１１と後述する車輪揺動ストップ部材５を台座２に固定するボルト５１（図８，図１９参照）が入り込める溝４１２が周設されている。
【００４２】
軸回し具係合部４２は、それとは限定されないが本例では、外輪郭が６角形状のものである。また、外端面から中心線方向に筒状部４１へ向け断面形状円形に座ぐり部分４２１が形成されているとともに、６角形の一辺中央部から対向する辺の中央部にわたる横溝４２２が形成されている。筒状部４１の断面円形の中心貫通孔４１０と円形座ぐり部分４２１とは中心を一致させて形成されており、横溝４２２はこれらを横切る方向に延びている。
【００４３】
図８，図１９に示すように、軸回し操作部４はその筒状部４１が偏心軸部３２２に外嵌され、偏心軸部３２２は該筒状部４１ごと台座２の壁に形成された軸支持部分２３で回動可能に支持されている。筒状部４１の溝４１１に嵌められた摩擦リングＲが筒状部４１と台座２の軸支持部分２３の内周面の間に介在している。
【００４４】
偏心軸部３２２の四角形状の先端部Ｅは軸回し具係合部４２まで突出している。図１１に示す嵌めつけ部材４３が横溝４２２に嵌められるとともに四角形状の中央孔４３１が偏心軸部の先端部Ｅに嵌められている。さらに、その状態で、図８、図１９に示すように、嵌めつけ部材４３にその一部を覆うようにボルト座金４４があてがわれ、座金４４に通したボルト４５が偏心軸部３２２のねじ穴ｈにねじ込まれている。
【００４５】
かくして、嵌め付け部材４３は軸回し具係合部４２が回されるとそれに連動してまわされるとともに、自身は偏心軸部３２２をまわし、延いては、中心軸部３２１及びそれに支持されている車輪３１を偏心軸部中心Ｃ２を中心に偏心量αで揺動させることができる。
【００４６】
このようにして、車輪軸３２は、車輪３１が台座２内に退避する退避位置Ｐ１（図１〜図８及び図２０に示す車輪位置）と前記開口部２２から台座２下方へ、被支持物品Ｗの移動を可能ならしめるように突出する動作位置Ｐ２（図１２〜図１９及び図２１に示す車輪位置）の間を往復揺動できるように台座壁２３に回動可能に支持されている。
【００４７】
動作位置Ｐ２は、車輪３１が偏心軸部３２２を中心とする退避位置Ｐ１からの揺動により最も台座２から突出する最突出位置Ｍｐ（図１３参照）を超えてさらに揺動して到達する位置である。
【００４８】
車輪３１が退避位置Ｐ１から動作位置Ｐ２に配置されると、図１９に示すように、中心軸部３２１上のストップリングＳが台座２に取り付けられた車輪揺動ストップ部材５に当接してそれ以上の揺動が止められる。
これらストップリングＳ、ストップ部材５等は、車輪３１が退避位置Ｐ１から動作位置Ｐ２へ揺動するとき、車輪３１の揺動を動作位置Ｐ２で停止させるためのストッパの１例を構成している。
【００４９】
摩擦リングＲは弾性リングであり、圧縮された状態で軸回し具係合部４の筒状部４１と台座２の軸支持部分２３の内周面の間に介在している。摩擦リングＲは、車輪軸３１を前記回し具係合部４を図示省略の回し具（横溝４２２に嵌めるレバー、輪郭６角形部分に係合させるスパナ、モンキーレンチ等）等で回すことは許すが、そのような強制的回動を解除すると、例えば、車輪３１を退避位置Ｐ１に保持でき程度の摩擦力を付与できるものである。
【００５０】
このように摩擦リングＲ等は車輪３１を落下させることなく退避位置Ｐ１に保持するための車輪ホルダーの１例を構成している。
【００５１】
以上説明したキャスタ付き物品支持脚１００によると、図２０に例示するように、ボルト１の雄ねじ１１部分を被支持物品Ｗのボルト螺合部Ｎに螺合させ、ボルト螺合部Ｎからのボルト突出量を調整するとともに、キャスタ３の車輪３１を台座２内に退避させた状態で台座２を物品支持基体Ｆ上に配置することで物品Ｗを物品支持基体Ｆ上の定位置に支持することができる。なお、図中ｎは採用してもよいロックナットである。
【００５２】
また、このように台座２を物品支持基体Ｆ上に配置した状態で、台座外側からキャスタ３の軸回し操作部４の軸回し具係合部４２に適当な回し具を係合させる等して回し操作することで偏心軸部３２２を回して偏心軸部３２２を中心に車輪３１を動作位置Ｐ２へ揺動突出させることができる。かくして、図２１等に例示するように台座２を車輪３１に対して相対的に上昇させる一方、車輪３１を台座２に対して相対的に下降させ、それにより、台座２に代えて車輪３１を物品支持基体Ｆに配置し、被支持物品Ｗを車輪３１で移動させ得る状態を簡単に得ることができる。
【００５３】
また、このように車輪３１で被支持物品Ｗを移動させ得る状態から、軸回し操作部４を前記とは逆方向に回し操作することで偏心軸部３２２を中心に車輪３１を台座内空間部２０の退避位置Ｐ１へ揺動退避させることができる。かくして、図２０等に例示するように車輪３１を台座２に対して相対的に上昇させる一方、台座２を車輪３１に対して相対的に下降させ、それにより、車輪３１に代えて台座２を物品支持基体Ｆに配置し、被支持物品Ｗを台座２で定位置に支持する状態を簡単に得ることができる。
【００５４】
車輪３１は台座２内に開口部２２を通して台座外部から視認可能に配置されているから、物品支持基体Ｆに台座２が接触しているのか、キャスタ車輪３１が接触しているのかを台座２の外部から容易に視認でき、支持脚１００の例では斜め上方からでも容易に視認でき、それだけ扱い易い。
【００５５】
車輪３１を使用しないときには台座２内に退避させておくことができる構造を採用しているのでので、キャスタ３を備えている割には全体をコンパクトに形成できる。
【００５６】
車輪３１の揺動動作に関して言えば、車輪３１を退避位置Ｐ１から動作位置Ｐ２へ揺動させるとき、物品支持脚１００の例では偏心軸部３２２を略１８０度回動させるが、その動作の途中、車輪３１は動作位置Ｐ２よりさらに台座２から相対的に下方へ突出する最突出位置Ｍｐを通る（図１３）。被支持物品Ｗの重量等によっては、車輪３１は最突出位置Ｍｐを動作位置Ｐ２側へ向け超えるや否や、回し具係合部４に対する強制力無しでも被支持物品Ｗの重量等により動作位置へ揺動し、その位置に安定的に保たれる。
【００５７】
物品支持脚１００では、車輪３１の動作位置Ｐ２に関して言えば、その位置におかれた車輪３１が車輪３１による物品移動中に振動等により退避位置Ｐ１の方へ簡単に揺動してしまうようなことを防止して、その位置に安定させる手段が設けられているといえる。
【００５８】
また、車輪３１を動作位置Ｐ２から退避位置Ｐ１へ揺動させる場合についてみると、車輪３１を動作位置Ｐ２から退避位置Ｐ１へ揺動させるときも、物品支持脚１００の例では偏心軸部３２２を略１８０度回動させるが、その動作の途中、車輪３１は最突出位置Ｍｐを通る。被支持物品Ｗの重量等によっては、車輪３１は最突出位置Ｍｐを退避位置Ｐ１側へ向け超えるや否や、回し具係合部４に対する強制力無しでも被支持物品Ｗの重量等により相対的に台座２内へ揺動し、車輪３１に代わって台座２が物品支持基体Ｆに座することを可能にする。
【００５９】
したがって、車輪３１を退避位置Ｐ１に保持するための前記摩擦リングＲは必ずしも要しない、といえる。
【産業上の利用可能性】
【００６０】
本発明は、雄ねじを形成したボルトが台座に回転自在に立設されており、該ボルトを被支持物品のボルト螺合部に螺合させ、台座を物品支持基体上に配置することで該物品を支持することができ、該物品を移動させるキャスタも備えているキャスタ付き物品支持脚であって、台座が物品支持基体上に配置される状態とキャスタ車輪が物品支持基体上に配置される状態を簡易に切り換えることができる等の利点を有するキャスタ付き物品支持脚を提供することに利用できる。
【符号の説明】
【００６１】
１００  キャスタ付き物品支持脚
１  ボルト
１１  雄ねじ
１２  ボルト回し具係合部
１２２  ベアリング押さえ部材
１２３  ベアリング保持部材
１２４  スラストベアリング
１２５  Ｃ型スプリング部材
２  台座
２０  内部空間
２１  ベアリング収納室
２２  開口部
２３  軸支持部分
３  キャスタ
３１  車輪
３２  車輪軸
３２１  中心軸部
３２２  偏心軸部
Ｅ  偏心軸部の先端部
Ｃ１  車輪中心
Ｃ２  偏心軸部中心
α  偏心量
Ｓ  ストップリング
４  軸回し操作部
４１  筒状部
４２  軸回し具係合部
Ｒ  摩擦リング
５  車輪揺動ストップ部材
Ｐ１  退避位置
Ｐ２  動作位置
Ｍｐ  最突出位置
Ｗ  被支持物品
Ｎ  ボルト螺合部
Ｆ  物品支持基体
【図１】
2014148246.tif 000003
【図２】
2014148246.tif 000004
【図３】
2014148246.tif 000005
【図４】
2014148246.tif 000006
【図５】
2014148246.tif 000007
【図６】
2014148246.tif 000008
【図７】
2014148246.tif 000009
【図８】
2014148246.tif 000010
【図９】
2014148246.tif 000011
【図１０】
2014148246.tif 000012
【図１１】
2014148246.tif 000013
【図１２】
2014148246.tif 000014
【図１３】
2014148246.tif 000015
【図１４】
2014148246.tif 000016
【図１５】
2014148246.tif 000017
【図１６】
2014148246.tif 000018
【図１７】
2014148246.tif 000019
【図１８】
2014148246.tif 000020
【図１９】
2014148246.tif 000021
【図２０】
2014148246.tif 000022
【図２１】
2014148246.tif 000023